(57)【要約】      （修正有）【課題】より簡単かつ迅速に氷塊切断作業を行うことができる氷塊切断機を提供する。【解決手段】氷塊切断機１は、モータ２０により駆動され、垂直方向に回転する回転鋸刃２と、上面３ａに氷塊が載置され、回転鋸刃２の方向に移動する移動台３と、移動台３を空圧により駆動するエアシリンダ４とを備えている。これにより、上面３ａに氷塊が載置された移動台３がエアシリンダ４によって回転鋸刃２の方向に向って、進退自在に移動すれば、回転鋸刃２によって氷塊が切断されることとなる。【選択図】図１
2018087645.tif 000002
【特許請求の範囲】
【請求項１】
モータ駆動により垂直方向に回転する氷塊を切断可能な回転鋸刃と、
上面に氷塊が載置可能である共に、前記回転鋸刃方向に向って進退自在に移動する移動台と、
前記移動台を空圧又は電動により進退自在に移動させる駆動部と、を備えてなる氷塊切断機。
【請求項２】
前記移動台の手前に配置され、前記駆動部を操作する操作部をさらに備えてなる請求項１に記載の氷塊切断機。
【請求項３】
前記回転鋸刃の下端位置は、前記移動台の上面位置よりも上方に位置してなる請求項１又は２に記載の氷塊切断機。
【発明の詳細な説明】
【技術分野】
【０００１】
本発明は、氷塊を切断して複数の角氷を形成する氷塊切断機に関する。
【背景技術】
【０００２】
従来、飲料品、食料品等を保冷するクーラーボックスや、かき氷を製作する氷削機などに用いる複数の角氷を形成するにあたって、製氷工場で製造された氷塊を、作業者が氷鋸、アイスピック等を使用する手作業によって切断する氷塊切断作業が行われている。一方、このような手作業による氷塊切断作業に代えて、氷塊切断機を使用して氷塊切断作業を行うものが知られている（特許文献１参照）。この種の氷塊切断機は、モータにより駆動され、垂直方向に回転する回転鋸刃と、上面に氷塊が載置され、回転鋸刃方向に移動して氷塊を切断する移動台と、を備え、作業者の手作業によるハンドル押出動作により移動台を回転鋸刃方向に移動させることによって、氷塊を切断することできるというものである。このような氷塊切断機では、モータにより回転する回転鋸刃が氷塊を切断するから、簡単かつ迅速に氷塊切断作業を行うことができる。
【先行技術文献】
【特許文献】
【０００３】
【特許文献１】特開２０００−１２１２２０号公報
【発明の概要】
【発明が解決しようとする課題】
【０００４】
しかしながら、上記のような氷塊切断機では、作業者の手作業によるハンドル押出動作によって移動台を回転鋸刃方向に移動させているから、氷塊切断作業を何度も行う場合には、氷塊切断作業が煩雑になるとともに、氷塊切断作業に多くの時間がかかるといった問題があった。
【０００５】
そこで、本発明は、上述の問題に鑑み、より簡単かつ迅速に氷塊切断作業を行うことができる氷塊切断機を提供することを目的としている。
【課題を解決するための手段】
【０００６】
上記目的を達成するための手段を図面の参照符号を付して示せば、請求項１の発明に係る氷塊切断機１は、
モータ２０駆動により垂直方向に回転する氷塊Ａを切断可能な回転鋸刃２と、
上面３ａに氷塊Ａが載置可能であると共に、前記回転鋸刃２方向に向って進退自在に移動する移動台３と、
前記移動台３を空圧又は電動により進退自在に移動させる駆動部（エアシリンダ４）と、を備えてなることを特徴としている。
【０００７】
請求項２の発明は、上記請求項１に記載の氷塊切断機１において、前記移動台３の手前に配置され、前記駆動部（エアシリンダ４）を操作する操作部（ハンドバルブ５）をさらに備えてなることを特徴としている。
【０００８】
請求項３の発明は、上記請求項１又は２に記載の氷塊切断機１において、前記回転鋸刃２の下端位置Ｈ１は、前記移動台３の上面位置Ｈ２よりも上方に位置してなることを特徴としている。
【発明の効果】
【０００９】
以下に、本発明の効果について、図面の参照符号を付して説明する。請求項１の発明によれば、氷塊切断機１が、モータ２０の駆動により垂直方向に回転する回転鋸刃２の方向に向って、上面３ａに氷塊Ａが載置された移動台３を進退自在に移動すれば、回転鋸刃２によって氷塊Ａが切断されるから、作業者が手作業によって氷塊Ａを切断する必要がなくなり、もって、簡単かつ迅速に氷塊切断作業を行うことができる。さらに、本発明によれば、駆動部（エアシリンダ４）によって移動台３を進退自在に移動させているから、従来のように作業者の手作業によって移動台３を移動させることがなくなり、もって、より簡単かつ迅速に氷塊切断作業を行うことができる。
【００１０】
請求項２の発明によれば、氷塊切断機１が、移動台３の手前に配置され、駆動部（エアシリンダ４）を操作する操作部（ハンドバルブ５）をさらに備えるから、作業者が移動台３の手前において移動台３の上面３ａに氷塊Ａを載置した後、作業者が移動することなく操作部（ハンドバルブ５）を操作して移動台３を回転鋸刃２の方向に移動させることができ、もって、より簡単かつ迅速に氷塊切断作業を行うことができる。
【００１１】
請求項３の発明によれば、回転鋸刃２の下端位置Ｈ１が、移動台３の上面位置Ｈ２よりも上方に位置しているから、回転鋸刃２により氷塊Ａを切断したとき、氷塊Ａの切れ目Ｃの下方において、切れ目Ｃのない接続部Ｄが形成されることとなる。これにより、複数に分割された角氷Ｂ１がばらけることがないから、角氷Ｂ２を形成する氷塊切断作業を行う場合でも、より簡単かつ迅速に氷塊切断作業を行うことができる。
【図面の簡単な説明】
【００１２】
【図１】本発明の一実施形態に係る氷塊切断機の平面図である。
【図２】同実施形態に係る氷塊切断機の左側面図である。
【図３】同実施形態に係る氷塊切断機の正面図である。
【図４】同実施形態に係る氷塊切断機の使用状態を例示し、（ａ）は、移動台に氷塊を横向きに載置した状態を示す模式図であり、（ｂ）は、移動台に氷塊を横向きに切断した状態を示す模式図であり、（ｃ）は、移動台に氷塊を縦向きに載置した状態を示す模式図であり、（ｄ）は、移動台に氷塊を縦向きに切断した状態を示す模式図である。
【発明を実施するための形態】
【００１３】
以下に、本発明に係る氷塊切断機の一実施形態について、図面を参照して具体的に説明する。なお、以下の説明において、上下左右の方向を示す場合は、図示正面から見た場合の上下左右をいうものとする。
【００１４】
図１〜図３に示すように、氷塊切断機１は、氷塊Ａ（図４参照）を切断して複数の角氷Ｂ１，Ｂ２（図４参照）を形成するものであって、モータ２０により駆動され、垂直方向に回転する回転鋸刃２と、上面３ａに氷塊Ａ（図４参照）を載置可能で、回転鋸刃２の方向（後方）に向って進退自在に移動する移動台３と、移動台３を空圧により進退自在に移動させるエアシリンダ４と、移動台３の手前に配置され、エアシリンダ４を操作するハンドバルブ５と、を備えている。また、氷塊切断機１は、上部にモータ２０が固定され、中央部において回転鋸刃２を回転自在に支持する第１フレーム１０と、第１フレーム１０の下部において左右間隔をあけて前後方向に延びるように設けられ、移動台３を前後方向に移動自在に上部に支持する第２フレーム１１と、第１フレーム１０及び第２フレーム１１の下部において前後左右方向に間隔をあけて下方（鉛直下向き）に延びるように設けられ、地面に移動可能に載置される４本の脚部１２と、をさらに備えている。
【００１５】
ところで、この第１フレーム１０は、図１〜図３に示すように、ステンレス製の角柱及び鋼板からなる箱枠であって、図１に示すように、前後左右方向に一定間隔をあけて上下方向（鉛直上下方向）に延びるように設けられる６本の角柱からなる支柱１０ａと、図３に示すように、回転鋸刃２の中央付近から上部を閉塞する鋼板からなる前板１０ｂと、回転鋸刃２の下部が臨むように形成された矩形状の開口であって、上面３ａに氷塊Ａ（図４参照）が載置された移動台３が通過可能な開口である開口部１０ｃと、図２に示すように、両側面の後側の全部及び前側の中央部を閉塞する４枚（図２では、左側面の２枚を図示するが、右側面の２枚の図示を省略する）の鋼板からなる側板１０ｄと、図２に示すように、上部において前後方向に間隔をあけて左右方向に延びるように設けられる２本の角柱と、図３に示すように、上部において左右方向に間隔をあけて前後方向に延びるように設けられる２本の角柱と、を含む４本の角柱からなる受け部材１０ｅと、図２及び図３に示すように、受け部材１０ｅの上部に固定され、上面の全部を閉塞する鋼板からなると共に、左側上面にモータ２０を載置固定する天板１０ｆと、を有している。なお、側板１０ｄは、図２に示すように、左側面の後側の全部を閉塞する第１側板１０ｄ１と、左側面の前側の中央部を閉塞する第２側板１０ｄ２と、右側面の後側の全部を閉塞する第３側板１０ｄ３（図示せず）と、右側面の前側の中央部を閉塞する第４側板１０ｄ４（図示せず）と、を有しており、第２側板１０ｄ２及び第４側板１０ｄ４（図示せず）は、回転鋸刃２の回転軸２ａを回転自在に支持している。
【００１６】
一方、第２フレーム１１は、図１に示すように、平面視でコ字形状からなり、図１〜図３に示すように、ステンレス製の角柱からなる支持枠であって、第１フレーム１０の下部において左右間隔をあけて前後方向に延びるように設けられ、上部に移動台３を前後方向に移動自在に支持する左右１対からなる第１支持部材１１ａ及び第２支持部材１１ｂと、第１支持部材１１ａ及び第２支持部材１１ｂの後端部を連結するとともに、エアシリンダ４の固定部４ｃが固定される連結部材１１ｃと、を有している。図１に示すように、第１支持部材１１ａ及び第２支持部材１１ｂの上面には、それぞれ前後方向に延びるように敷設された左右１対のレール部材１１ｄが設けられている。この左右１対のレール部材１１ｄは、移動台３の下面の左右両側に設けられたスライド部材（図示せず）が摺動可能に跨設されるスライド受部材であって、移動台３を前後方向に移動させることができるものである。また、図１〜図３に示すように、第１支持部材１１ａ及び第２支持部材１１ｂの前端部には、それぞれ移動台３の前端部が接触して移動台３の前方移動を規制する矩形板状の当接部材１１ｅが設けられている。この当接部材１１ｅは、第１支持部材１１ａ及び第２支持部材１１ｂの上面よりも上方に突出しており、当接部材１１ｅの上面は、移動台３の上面３ａと一致している。
【００１７】
また一方、脚部１２は、図２及び図３に示すように、ステンレス製の４本の円柱からなるものであって、具体的には、第１フレーム１０及び第２フレーム１１の後端下部において左右方向に間隔をあけて下方向に延びるように設けられる２本の円柱と、第２フレーム１１の略中央下部において左右方向に間隔をあけて下方向に延びるように設けられる２本の円柱と、からなるものであって、第１フレーム１０及び第２フレーム１１を支持するものである。なお、脚部１２の下部には、ロック機構（図示せず）を有する移動用のキャスタ１２ａが設けられている。
【００１８】
他方、回転鋸刃２は、図１〜図３に示すように、ステンレス製の丸鋸であって、回転軸２ａの軸方向に間隔をあけて回転軸２ａに複数枚（図示では、４枚）等配固定されている。この回転鋸刃２は、本実施形態においては、４枚の第１刃部２ｂ〜第４刃部２ｅを有しており、第１刃部２ｂ〜第４刃部２ｅが垂直方向に回転することによって、氷塊Ａを切断して複数の角氷Ｂ１，Ｂ２を形成することができるようになっている。より具体的に説明すると、第１刃部２ｂ〜第４刃部２ｅの間隔、及び、移動台３を回転鋸刃２の方向（後方）の所定位置（図１及び図２において２点鎖線で示す位置）に移動したときにおける移動台３の後述する第２ガイド部材３４の右側面と第１刃部２ｂとの間隔が同一になっており、これにより、複数の角氷Ｂ１，Ｂ２の幅が同一となる。例えば、第１刃部２ｂ〜第４刃部２ｅの間隔のそれぞれが、１２ｃｍとなるように等配置されていれば、複数の角氷Ｂ１，Ｂ２の全ての幅が、１２ｃｍとなるということである。なお、第１刃部２ｂ〜第４刃部２ｅの間隔、及び、移動台３を回転鋸刃２の方向（後方）の所定位置（図１及び図２において２点鎖線で示す位置）に移動したときにおける移動台３の第２ガイド部材３４の右側面と第１刃部２ｂとの間隔は、第１刃部２ｂの左側、第１刃部２ｂ〜第４刃部２ｅの間、第４刃部２ｅの右側にそれぞれ介装された図示しないリテーナの幅を変更することによって、任意の間隔に設定することができる。
【００１９】
また、回転鋸刃２の下端位置Ｈ１は、図２に示すように、移動台３の上面位置Ｈ２よりも上方（例えば、２ｃｍ上方）に位置している。これにより、回転鋸刃２により図４（ａ），（ｃ）に示す氷塊Ａを切断したとき、図４（ｂ），（ｄ）に示す氷塊Ａの切れ目Ｃの下方において、切れ目Ｃのない接続部Ｄが形成される。すなわち、図４（ｂ）及び図４（ｄ）に示すように、接続部Ｄの上端位置Ｈ３が、例えば、２ｃｍとなるように、切れ目Ｃのない接続部Ｄが形成されることとなる。これにより、回転鋸刃２により氷塊Ａを切断したとき、氷塊Ａの切れ目Ｃの下方において、切れ目Ｃのない接続部Ｄが形成されることとなる。それゆえ、複数に分割された角氷Ｂ１がばらけることがないため、角氷Ｂ２を形成する氷塊切断作業を行う場合でも、より簡単かつ迅速に氷塊切断作業を行うことができる。
【００２０】
またさらに、回転鋸刃２は、図１〜図３に示すように、第２側板１０ｄ２及び第４側板１０ｄ４（図示せず）に回転自在に支持された回転軸２ａに固定されている。図１及び図３に示すように、回転軸２ａの左側端部は、第２側板１０ｄ２の左側に突出しており、回転軸２ａよりも大径のＶプーリ等の第１プーリ２１が一体回転可能に装着固定されている。また、モータ２０は、天板１０ｆの左側上面に載置固定され、モータ２０のモータ軸２０ａの左側端部は、第２側板１０ｄ２の左側に突出しており、モータ軸２０ａよりも大径のＶプーリ等の第２プーリ２２が一体回転可能に装着固定されている。そして、モータ軸２０ａに装着固定された第２プーリ２２と、回転軸２ａに装着固定された第１プーリ２１との間には、Ｖベルト等のベルト２３が巻回されている。しかして、この状態で、第１フレーム１０の左側面に設けられたモータ２０のモータスイッチ２０ｂ（図２参照）をオン操作すると、モータ軸２０ａが回転し、モータ軸２０ａの回転が、第２プーリ２２、ベルト２３及び第１プーリ２１を介して、回転軸２ａに伝達されて、回転鋸刃２が回転するようになっている。なお、モータ２０の周囲には、モータ２０を覆う箱状のモータカバー２０ｃが装着されており、モータカバー２０ｃの下部は、天板１０ｆの上面に固定されている。また、第２プーリ２２、ベルト２３及び第１プーリ２１の周囲には、第２プーリ２２、ベルト２３及び第１プーリ２１を覆う箱状のベルトカバー２３ａが装着されており、ベルトカバー２３ａの右側部は、モータカバー２０ｃの左側面及び第２側板１０ｄ２の左側面に固定されている。
【００２１】
一方、移動台３は、図１〜図３に示すように、上面３ａに氷塊Ａ（図４参照）が載置可能なもので、前方の所定位置（図１及び図２において実線で示す位置）から回転鋸刃２の方向（後方）の所定位置（図１及び図２において２点鎖線で示す位置）に進退自在に移動することができるものである。この移動台３は、第１支持部材１１ａ及び第２支持部材１１ｂの上面に敷設された左右１対のレール部材１１ｄに前後方向に移動自在に支持された台座部材３１と、台座部材３１の上面に載置された板状部材３２と、台座部材３１の後端面に装着され台座部材３１の上面よりも上方に突出して設けられた第１ガイド部材３３と、台座部材３１の左側端面に装着され台座部材３１の上面よりも上方に突出して設けられた第２ガイド部材３４とで構成されている。
【００２２】
この台座部材３１は、図１〜図３に示すように、上面に板状部材３２を載置するものであって、ステンレスからなる矩形箱状に形成されている。このような台座部材３１の下面の左右両側には、左右１対のレール部材１１ｄに跨設するスライド部材（図示せず）が設けられており、台座部材３１を前後方向に移動させることができるようになっている。また、台座部材３１の前端部には、平面視でコ字形状となるように設けられた把持用のハンドル３１ａと、ハンドル３１ａの両側の２箇所に台座部材３１の上面よりも上方に突出して設けられ、台座部材３１の上面に載置した板状部材３２の前端部が接触して板状部材３２の前方移動を規制する矩形板状の当接部材３１ｂと、を有している。
【００２３】
板状部材３２は、図１〜図３に示すように、上面に氷塊Ａ（図４参照）を載置することができるものであって、合成樹脂からなる矩形厚板状からなるものである。このような板状部材３２の上面は、台座部材３１の上面と同一の矩形状をなしており、また、台座部材３１の上面に載置した板状部材３２の後面、左側面、前面は、それぞれ第１ガイド部材３３、第２ガイド部材３４、台座部材３１の当接部材３１ｂに接触するように配置されている。このため、板状部材３２は、台座部材３１の前後移動に伴って、前後移動するようになっている。また、板状部材３２の前端部には、平面視でコ字形状となるように設けられた把持用のハンドル３２ａが設けられている。
【００２４】
一方、第１ガイド部材３３は、図３、図４（ａ）及び図４（ｃ）に示すように、ステンレスからなる矩形薄板状のものであって、板状部材３２の上面に載置した氷塊Ａの後方移動を規制するものである。より具体的に説明すると、第１ガイド部材３３は、左右方向に間隔をあけて設けられた５枚の第１片部３３ａ〜第５片部３３ｅと、第１片部３３ａ〜第５片部３３ｅの間に設けられた４箇所の第１溝部３３ｆ〜第４溝部３３ｉと、を有している。この第１片部３３ａ〜第５片部３３ｅは、矩形状の小片であって、前面に氷塊Ａの後面が接触することにより、氷塊Ａの後方移動を規制するものである。また、第１溝部３３ｆ〜第４溝部３３ｉは、それぞれ回転鋸刃２の第１刃部２ｂ〜第４刃部２ｅが挿通される正面視で矩形状のスリットである。
【００２５】
ところで、この第１溝部３３ｆ〜第４溝部３３ｉの中央位置の間隔、及び、移動台３の第２ガイド部材３４の右側面と第１溝部３３ｆの中央位置との間隔は、それぞれ同一になっており、さらに、第１刃部２ｂ〜第４刃部２ｅの間隔、及び、移動台３の第２ガイド部材３４の右側面と第１刃部２ｂとの間隔と同一になっている。これにより、第１刃部２ｂ〜第４刃部２ｅは、第１溝部３３ｆ〜第４溝部３３ｉを挿通可能となる。また、図３に示すように、第１溝部３３ｆ〜第４溝部３３ｉの下面は、第１刃部２ｂ〜第４刃部２ｅの下面よりも下方、かつ、台座部材３１の上面に載置した板状部材３２の上面よりも上方に位置している。
【００２６】
一方、第２ガイド部材３４は、図４に示すように、ステンレスからなる矩形薄板状のものであって、右側面に、板状部材３２の上面に載置した氷塊Ａ（図４参照）の左側面が接触することにより、板状部材３２の上面に載置した氷塊Ａの左方移動を規制するものである。
【００２７】
エアシリンダ４は、図１〜図３に示すように、エアコンプレッサ（図示せず）から供給された圧縮空気により移動台３を前後移動するものであって、例えば、複動形片ロッド式のものである。このようなエアシリンダ４は、第１フレーム１０の中央下部に前後方向に延びるように配置される本体部４ａと、本体部４ａの前端部から前後方向に伸縮するピストンロッド４ｂと、本体部４ａの後端部に設けられ、第２フレーム１１の連結部材１１ｃに固定される固定部４ｃと、ピストンロッド４ｂの前端部に設けられ、移動台３の前側中央下部に連結される連結部４ｄと、を有している。
【００２８】
本体部４ａは、図１及び図２に示すように、第１フレーム１０の前後長さよりもやや短くなるように前後方向に延びる円筒状のシリンダチューブと、シリンダチューブの前端部を閉塞し圧縮空気を給排する前側ポートが形成されるとともに、ピストンロッド４ｂの前端部が前方に突出する正面視で矩形のロッドカバーと、シリンダチューブの後端部を閉塞し圧縮空気を給排する後側ポートが形成されるとともに、固定部４ｃが装着される背面視で矩形のヘッドカバーと、を有している。ピストンロッド４ｂは、移動台３の前後長さよりもやや長くなるように前後方向に延びる円柱状の棒状部材であり、固定部４ｃは、本体部４ａの後端部のヘッドカバーの外周部に装着固定されるフランジ部材であって、連結部材１１ｃの前面に取付固定されている。また、連結部４ｄは、図１〜図３に示すように、側面視でＬ字形状をなす金属製の連結金具であって、図３に示すように、ピストンロッド４ｂの前端部にナット固定されるとともに、図１及び図２に示すように、移動台３の前側中央下部にボルト固定されている。これにより、ピストンロッド４ｂと移動台３とが連結されて前後方向に一体移動可能となっている。
【００２９】
なお、本実施形態においては、移動台３を空圧駆動する駆動部として、エアシリンダ４を例示したが、これに限らず、例えば、移動台３を電動駆動する電動アクチュエータや、電動シリンダであってもよい。
【００３０】
一方、ハンドバルブ５は、図１〜図３に示すように、エアシリンダ４の前側ポート及び後側ポートに接続され、前側ポート及び後側ポートへの圧縮空気の給排を手動で切り換える手動切換弁（図示せず）を操作するレバー形状のメカニカルバルブであって、移動台３の左側手前に配置されるものである。このようなハンドバルブ５は、接続チューブ（図示せず）により手動切換弁（図示せず）に接続されており、左右方向の揺動操作によって、エアシリンダ４の前側ポート及び後側ポートへの圧縮空気の給排を切り換えることにより、エアシリンダ４のピストンロッド４ｂを前後方向に移動し、これにより、移動台３を前後方向に移動するものである。具体的に説明すると、ハンドバルブ５を右方向に揺動操作すると、圧縮空気が前側ポートに供給され、同時に圧縮空気が後側ポートから排出されることによって、ピストンロッド４ｂが後方に移動し、ピストンロッド４ｂに連結された移動台３が後方の所定位置（図１及び図２において２点鎖線で示す位置）に移動する。逆に、ハンドバルブ５を左方向に揺動操作すると、圧縮空気が後側ポートに供給され、同時に圧縮空気が前側ポートから排出されることによって、ピストンロッド４ｂが前方に移動し、ピストンロッド４ｂに連結された移動台３が前方の所定位置（図１及び図２において実線で示す位置）に移動する。しかるに、本実施形態によれば、ハンドバルブ５が移動台３の左側手前に配置されるから、作業者が移動台３の手前において移動台３の上面３ａに氷塊Ａを載置した後、作業者が移動することなくハンドバルブ５を操作して移動台３を回転鋸刃２方向に移動させることができ、もって、より簡単かつ迅速に氷塊切断作業を行うことができる。
【００３１】
なお、本実施形態では、ハンドバルブ５が移動台３の左側手前に配置されていたが、これに限らず、例えば、ハンドバルブ５が移動台３の右側手前に配置されていても良い。また、本実施形態では、エアシリンダ４を操作する操作部として、ハンドバルブ５を例示したが、これに限らず、例えば、手動切換弁に代えて、エアシリンダ４の前側ポート及び後側ポートに接続される電磁弁を設け、電磁弁を制御するソレノイドバルブであっても良い。
【００３２】
次に、上記の氷塊切断機１を使用して、氷塊Ａを切断して複数の角氷Ｂ１，Ｂ２を形成する方法について、図４を参照して詳細に説明する。
【００３３】
まず、図１及び図２に示すように、ハンドバルブ５を左方向に揺動操作し、移動台３を前方の所定位置（図１及び図２において実線で示す位置）に移動する。次いで、図４（ａ）に示すように、移動台３の上面３ａに、製氷工場で製造された直方体形状の氷塊Ａの後面が第１ガイド部材３３の第１片部３３ａ〜第５片部３３ｅの前面に接触し、かつ、氷塊Ａの左側面が第２ガイド部材３４の右側面に接触するように、横向きにした氷塊Ａを載置する。なお、氷塊Ａは、例えば、幅が５２ｃｍ、奥行が２６ｃｍ、高さが１４ｃｍとなる大きさ（４貫目強）の分割されていないプレーン形状の直方体形状の貫目氷等である。
【００３４】
次いで、図１及び図２に示すように、ハンドバルブ５を右方向に揺動操作し、移動台３を後方（回転鋸刃２の方向）の所定位置（図１及び図２において２点鎖線で示す位置）に移動する。このとき、図４（ａ）に示すように、回転鋸刃２の第１刃部２ｂ〜第４刃部２ｅは、第１ガイド部材３３の第１溝部３３ｆ〜第４溝部３３ｉに挿通され、第１刃部２ｂ〜第４刃部２ｅによって、横向きに載置した氷塊Ａが切断（５分割）される。そして、ハンドバルブ５を左方向に揺動操作し、移動台３を前方の所定位置（図１及び図２において実線で示す位置）に移動する。これにより、図４（ｂ）に示すように、横向きに載置した氷塊Ａが切断され、複数の直方体形状の角氷Ｂ１及び氷屑Ｅ１が形成されることとなる。なお、角氷Ｂ１は、例えば、幅が１２ｃｍのものが４個、幅が４ｃｍのものが１個となるように、氷塊Ａを横向きに載置したものを幅方向に５分割したもののうち、幅が１２ｃｍとなるものであって、幅が１２ｃｍ、奥行が２６ｃｍ、高さが１４ｃｍとなる大きさ（１貫目強）の直方体形状の貫目氷であり、幅が４ｃｍとなるものは、廃棄される氷屑Ｅ１である。
【００３５】
ところで、この氷塊Ａには、複数の角氷Ｂ１及び氷屑Ｅ１を分割する切れ目Ｃが形成され、切れ目Ｃの下部には、複数の角氷Ｂ１及び氷屑Ｅ１を接続する接続部Ｄが形成されている。
【００３６】
次いで、図４（ｃ）に示すように、切れ目Ｃが形成された氷塊Ａ（複数の角氷Ｂ１及び氷屑Ｅ１）の後面が第１ガイド部材３３の第１片部３３ａ〜第３片部３３ｃの前面に接触し、かつ、切れ目Ｃが形成された氷塊Ａ（複数の角氷Ｂ１及び氷屑Ｅ１）の左側面が第２ガイド部材３４の右側面に接触するように、切れ目Ｃが形成された氷塊Ａ（複数の角氷Ｂ１及び氷屑Ｅ１）を時計回りの方向に９０度回転して縦向きにする。この状態で、図１及び図２に示すように、ハンドバルブ５を右方向に揺動操作し、移動台３を後方（回転鋸刃２方向）の所定位置（図１及び図２において２点鎖線で示す位置）に移動する。このとき、図４（ｃ）に示すように、回転鋸刃２の第１刃部２ｂ〜第４刃部２ｅは、第１ガイド部材３３の第１溝部３３ｆ〜第４溝部３３ｉに挿通され、第１刃部２ｂ及び第２刃部２ｃによって、縦向きに載置した氷塊Ａが切断（３分割）される。そして、ハンドバルブ５を左方向に揺動操作し、移動台３を前方の所定位置（図１及び図２において実線で示す位置）に移動する。これにより、図４（ｄ）に示すように、縦向きに載置した切れ目Ｃが形成された氷塊Ａ（複数の角氷Ｂ１及び氷屑Ｅ１）が切断され、複数の直方体形状の角氷Ｂ２及び氷屑Ｅ２が形成される。なお、角氷Ｂ２は、例えば、幅が１２ｃｍのものが２個、幅が２ｃｍのものが１個となるように、切れ目Ｃが形成された氷塊Ａ（複数の角氷Ｂ１及び氷屑Ｅ１）を縦向きに載置したものを幅方向に３分割したもののうち、幅が１２ｃｍ、奥行が１２ｃｍ、高さが１４ｃｍとなる大きさ（半貫目）の直方体形状（略立方体形状）のものであり、幅が２ｃｍのもの、及び、奥行が４ｃｍとなるものは、廃棄される氷屑Ｅ２である。しかるに、角氷Ｂ２は、幅方向に２個、奥行方向に４個、すなわち、合計８個形成され、氷屑Ｅ２は、幅方向に１個、奥行方向に１個、すなわち、合計７個形成される。また、氷塊Ａには、複数の角氷Ｂ２及び氷屑Ｅ２を分割する切れ目Ｃが形成され、切れ目Ｃの下部には、複数の角氷Ｂ２及び氷屑Ｅ２を接続する接続部Ｄが形成されている。
【００３７】
かくして、上記のように構成される氷塊切断機１を使用して、氷塊Ａを切断して複数の角氷Ｂ１，Ｂ２を形成することができる。なお、接続部Ｄは、複数の角氷Ｂ２及び氷屑Ｅ２をバラバラにする際、切れ目Ｃに沿って、アイスピック等により切断するようにすれば良い。
【００３８】
なお、本実施形態おける氷塊Ａ、角氷Ｂ１，Ｂ２の大きさ及び分割数は、あくまで一例であって、任意の大きさ及び分割数に変更可能である。
【００３９】
しかして、以上説明した本実施形態によれば、氷塊切断機１が、モータ２０の駆動により垂直方向に回転する回転鋸刃２の方向に向って、上面３ａに氷塊Ａが載置された移動台３を進退自在に移動すれば、回転鋸刃２によって氷塊Ａが切断されるから、作業者が手作業によって氷塊Ａを切断する必要がなくなり、もって、簡単かつ迅速に氷塊切断作業を行うことができる。さらに、本実施形態によれば、エアシリンダ４によって移動台３を進退自在に移動させているから、従来のように作業者の手作業によって移動台３を移動させることがなくなり、もって、より簡単かつ迅速に氷塊切断作業を行うことができる。
【符号の説明】
【００４０】
１                  氷塊切断機
２                  回転鋸刃
２ａ                回転軸
２ｂ〜２ｅ          第１刃部〜第４刃部
３                  移動台
３ａ                上面
４                  エアシリンダ（駆動部）
４ａ                本体部
４ｂ                ピストンロッド
４ｃ                固定部
４ｄ                連結部
５                  ハンドバルブ（操作部）
１０                第１フレーム
１０ａ              支柱
１０ｂ              前板
１０ｃ              開口部
１０ｄ              側板
１０ｄ１〜１０ｄ４  第１側板〜第４側板
１０ｅ              受け部材
１０ｆ              天板
１１                第２フレーム
１１ａ              第１支持部材
１１ｂ              第２支持部材
１１ｃ              連結部材
１１ｄ              レール部材
１１ｅ              当接部材
１２                脚部
１２ａ              キャスタ
２０                モータ
２０ａ              モータ軸
２０ｂ              モータスイッチ
２０ｃ              モータカバー
２１                第１プーリ
２２                第２プーリ
２３                ベルト
２３ａ              ベルトカバー
３１                台座部材
３１ａ              ハンドル
３１ｂ              当接部材
３２                板状部材
３２ａ              ハンドル
３３                第１ガイド部材
３３ａ〜３３ｅ      第１片部〜第５片部
３３ｆ〜３３ｉ      第１溝部〜第４溝部
３４                第２ガイド部材
Ａ                  氷塊
Ｂ１，Ｂ２          角氷
Ｃ                  切れ目
Ｄ                  接続部
Ｅ１，Ｅ２          氷屑
Ｈ１                回転鋸刃の下端位置
Ｈ２                移動台の上端位置
Ｈ３                接続部の上端位置
【図１】
2018087645.tif 000003
【図２】
2018087645.tif 000004
【図３】
2018087645.tif 000005
【図４】
2018087645.tif 000006